【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
金属ナノ構造の集団であって、前記ナノ構造が金属原子を含み、ナノ構造においてＣｕ、Ｆｅ、Ｃｒ、Ｚｎ、Ｔｉ、Ｍｎ、Ａｕ、Ｎａ、及びＫから構成される群から選択される１種以上の原子の各々に対する金属原子の比が＞１，０００：１である前記集団。
【請求項２】
金属原子がＣｕ、Ｆｅ、Ｃｒ、Ｚｎ、Ｔｉ、Ｍｎ、Ａｕ、Ｎａ又はＫ以外のものである請求項１に記載の集団。
【請求項３】
金属原子がＷ、Ｔａ、Ｒｕ、Ｃｏ、Ｍｏ、Ｉｒ、Ｒｅ、Ｒｈ、Ｈｆ、Ｎｂ、Ｐｄ、Ｐｔ及びＮｉから構成される群から選択される請求項１に記載の集団。
【請求項４】
金属原子がＲｕである請求項３に記載の集団。
【請求項５】
金属原子がＰｄである請求項３に記載の集団。
【請求項６】
ナノ構造においてＰｄとＮｉの比が＞１，０００：１、＞５，０００：１、＞１０，０００：１、＞５０，０００：１、又は＞１００，０００：１である請求項５に記載の集団。
【請求項７】
ナノ構造においてＣｕ、Ｆｅ、Ｃｒ、Ｚｎ、Ｔｉ、Ｍｎ、Ａｕ、Ｎａ、及びＫから構成される群から選択される２種以上、３種以上、４種以上、５種以上、６種以上、７種以上、又は８種以上の原子の各々に対する金属原子の比が＞１，０００：１である請求項１に記載の集団。
【請求項８】
ナノ構造においてＣｕ、Ｆｅ、Ｃｒ、Ｚｎ、Ｔｉ、Ｍｎ、Ａｕ、Ｎａ、及びＫの各々に対する金属原子の比が＞１，０００：１である請求項１に記載の集団。
【請求項９】
ナノ構造においてＣｕ、Ｆｅ、Ｃｒ、Ｚｎ、Ｔｉ、Ｍｎ、Ａｕ、Ｎａ、及びＫから構成される群から選択される１種以上の原子の各々に対する金属原子の比が＞５，０００：１である請求項１に記載の集団。
【請求項１０】
ナノ構造においてＣｕ、Ｆｅ、Ｃｒ、Ｚｎ、Ｔｉ、Ｍｎ、Ａｕ、Ｎａ、及びＫから構成される群から選択される２種以上、３種以上、４種以上、５種以上、６種以上、７種以上、又は８種以上の原子の各々に対する金属原子の比が＞５，０００：１である請求項９に記載の集団。
【請求項１１】
ナノ構造においてＣｕ、Ｆｅ、Ｃｒ、Ｚｎ、Ｔｉ、Ｍｎ、Ａｕ、Ｎａ、及びＫの各々に対する金属原子の比が＞５，０００：１である請求項９に記載の集団。
【請求項１２】
ナノ構造においてＣｕ、Ｆｅ、Ｃｒ、Ｚｎ、Ｔｉ、Ｍｎ、Ａｕ、Ｎａ、及びＫから構成される群から選択される１種以上の原子の各々に対する金属原子の比が＞１０，０００：１である請求項１に記載の集団。
【請求項１３】
ナノ構造においてＣｕ、Ｆｅ、Ｃｒ、Ｚｎ、Ｔｉ、Ｍｎ、Ａｕ、Ｎａ、及びＫから構成される群から選択される２種以上、３種以上、４種以上、５種以上、６種以上、７種以上、又は８種以上の原子の各々に対する金属原子の比が＞１０，０００：１である請求項１２に記載の集団。
【請求項１４】
ナノ構造においてＣｕ、Ｆｅ、Ｃｒ、Ｚｎ、Ｔｉ、Ｍｎ、Ａｕ、Ｎａ、及びＫの各々に対する金属原子の比が＞１０，０００：１である請求項１２に記載の集団。
【請求項１５】
ナノ構造においてＣｕ、Ｆｅ、Ｃｒ、Ｚｎ、Ｔｉ、Ｍｎ、Ａｕ、Ｎａ、及びＫから構成される群から選択される１種以上の原子の各々に対する金属原子の比が＞１００，０００：１である請求項１に記載の集団。
【請求項１６】
ナノ構造においてＣｕ、Ｆｅ、Ｃｒ、Ｚｎ、Ｔｉ、Ｍｎ、Ａｕ、Ｎａ、及びＫから構成される群から選択される２種以上、３種以上、４種以上、５種以上、６種以上、７種以上、又は８種以上の原子の各々に対する金属原子の比が＞１００，０００：１である請求項１５に記載の集団。
【請求項１７】
ナノ構造においてＣｕ、Ｆｅ、Ｃｒ、Ｚｎ、Ｔｉ、Ｍｎ、Ａｕ、Ｎａ、及びＫの各々に対する金属原子の比が＞１００，０００：１である請求項１５に記載の集団。
【請求項１８】
ナノ構造においてＣｕに対する金属原子の比が＞１００，０００：１であり、Ｆｅに対する金属原子の比が＞１００，０００：１である請求項１５に記載の集団。
【請求項１９】
ナノ構造においてＮａに対する金属原子の比が＞１００，０００：１である請求項１５に記載の集団。
【請求項２０】
ナノ構造においてＫに対する金属原子の比が＞１００，０００：１である請求項１５に記載の集団。
【請求項２１】
ナノ構造においてＦｅに対する金属原子の比が＞１０，０００：１であり、Ｚｎに対する金属原子の比が＞１０，０００：１であり、Ｃｕに対する金属原子の比が＞５０，０００：１であり、Ｋに対する金属原子の比が＞５０，０００：１である請求項１に記載の集団。
【請求項２２】
ナノ構造が実質的に球状のナノ結晶又は量子ドットを含む請求項１に記載の集団。
【請求項２３】
請求項１に記載の集団を含むデバイス。
【請求項２４】
デバイスが電荷貯蔵デバイス、メモリーデバイス、又は光起電力デバイスを含む請求項２３に記載のデバイス。
【請求項２５】
金属ナノ構造の単層アレイであって、前記ナノ構造が金属原子を含み、金属原子のアレイ内密度が＞１×１０１５原子／ｃｍ２であり、Ｃｕ、Ｆｅ、Ｃｒ、Ｚｎ、Ｔｉ、Ｍｎ、Ａｕ、Ｎａ、及びＫから構成される群から選択される１種以上の原子の各々のアレイ内密度が＜１×１０１１原子／ｃｍ２である前記単層アレイ。
【請求項２６】
金属原子がＷ、Ｔａ、Ｒｕ、Ｃｏ、Ｍｏ、Ｉｒ、Ｒｅ、Ｒｈ、Ｈｆ、Ｎｂ、Ｐｄ、Ｐｔ及びＮｉから構成される群から選択される請求項２５に記載の単層アレイ。
【請求項２７】
金属原子がＲｕである請求項２６に記載の単層アレイ。
【請求項２８】
金属原子を含む前駆体を準備する段階と；
前駆体を反応させてナノ構造を生成する段階を含み、ナノ構造においてＣｕ、Ｆｅ、Ｃｒ、Ｚｎ、Ｔｉ、Ｍｎ、Ａｕ、Ｎａ、及びＫから構成される群から選択される１種以上の原子の各々に対する金属原子の比が＞１，０００：１である金属ナノ構造の製造方法。
【請求項２９】
金属原子がＷ、Ｔａ、Ｒｕ、Ｃｏ、Ｍｏ、Ｉｒ、Ｒｅ、Ｒｈ、Ｈｆ、Ｎｂ、Ｐｄ、Ｐｔ及びＮｉから構成される群から選択される請求項２８に記載の方法。
【請求項３０】
金属原子がＲｕである請求項２８に記載の方法。
【請求項３１】
金属原子を含み、Ｃｕ、Ｆｅ、Ｃｒ、Ｚｎ、Ｔｉ、Ｍｎ、Ａｕ、Ｎａ、及びＫから構成される群から選択される１種以上の原子の各々の含有量が１ｐｐｍ未満である前駆体を準備する段階と；
Ｃｕ、Ｆｅ、Ｃｒ、Ｚｎ、Ｔｉ、Ｍｎ、Ａｕ、Ｎａ、及びＫから構成される群から選択される１種以上の原子の各々の含有量が１ｐｐｍ未満である界面活性剤を準備する段階と；
界面活性剤の存在下で前駆体を反応させてナノ構造を生成する段階を含む金属ナノ構造の製造方法。
【請求項３２】
Ｐｄ、Ｐｔ、及びＮｉから構成される群から選択され、＋２の酸化状態をもち、１個以上の酸素原子と結合した第１０族原子を含む前駆体を準備する段階と；
界面活性剤と非配位性溶媒の存在下で前駆体を反応させてナノ構造を生成する段階を含む第１０族金属ナノ構造の製造方法。
【請求項３３】
Ｐｄ、Ｐｔ、及びＮｉから構成される群から選択され、＋２の酸化状態をもち、１個以上の酸素原子と結合した第１０族原子を含む前駆体と；
界面活性剤と；
非配位性溶媒を含有する組成物。
【請求項３４】
アセチルアセトン酸ルテニウム（ＩＩＩ）を準備する段階と；
アセチルアセトン酸ルテニウム（ＩＩＩ）を反応させてナノ構造を生成する段階を含むルテニウムナノ構造の製造方法。
【請求項３５】
酸化剤、カルボン酸塩、酢酸塩、及び塩基から構成される群から選択される添加剤を準備する段階を含み、アセチルアセトン酸ルテニウム（ＩＩＩ）を反応させてナノ構造を生成する段階が添加剤の存在下でアセチルアセトン酸ルテニウム（ＩＩＩ）を反応させてナノ構造を生成する段階を含む請求項３４に記載の方法。
【請求項３６】
添加剤が硝酸アンモニウム、硝酸、過酸化水素、酢酸アンモニウム、酢酸テトラメチルアンモニウム、水酸化アンモニウム、及び水酸化テトラメチルアンモニウムから構成される群から選択される請求項３５に記載の方法。
【請求項３７】
アセチルアセトン酸ルテニウム（ＩＩＩ）と；
１個以上のルテニウムナノ構造を含有する組成物。
【請求項３８】
ルテニウムナノ構造集団を含有する組成物であって、前記集団がナノ構造の平均直径の３０％未満のナノ構造の直径標準偏差を示し、ルテニウムナノ構造が実質的にナトリウムを含まない前記組成物。
【請求項３９】
標準偏差が平均直径の２０％未満である請求項３８に記載の組成物。
【請求項４０】
ナノ構造を懸濁液から回収する方法であって、
ａ）溶媒に懸濁したナノ構造を含む第１の溶液を準備する段階と；
ｂ）第１の溶液に塩を添加し、塩を溶媒に溶解した第２の溶液を生成する段階と；
ｃ）ナノ構造を溶媒から分離する段階を含む前記方法。